(57)【要約】【課題】進行状況の表示において表示面積が小さく、かつ、効果的な表示を可能とする表示装置を提供する。【解決手段】産業機械の制御を行う制御装置における操作表示装置３であって、操作される機器あるいは作業に対応した操作釦３１，３２を複数個配置したタッチパネル３０をなし、特定の機器に対する前記操作釦については操作開始後の進行状況を前記操作釦の配置領域３１ａ内で円グラフ３１１表示するようにした操作表示装置が提供される。【選択図】  図２
2004295593.tif 000002
【特許請求の範囲】
【請求項１】
産業機械の制御を行う制御装置における操作表示装置であって、
操作される機器あるいは作業に対応した操作釦を複数個配置したパネルをなし、特定の処理あるいは機器に対する前記操作釦については操作開始後の進行状況を前記操作釦の配置領域内で円グラフ表示するようにした操作表示装置。
【請求項２】
前記特定の機器はデータ記憶装置であることを特徴とする請求項１に記載の操作表示装置。
【請求項３】
前記特定の操作釦は前記パネル中の定位置に設けられることを特徴とする記載の請求項１または２に記載の操作表示装置。
【請求項４】
前記データ記憶装置のアクセス時に読み出し、書き込み、ディレクトリ情報取得時で前記円グラフの色と形状を変化させることを特徴とする、請求項１ないし３のいずれかに記載の操作表示装置。
【請求項５】
前記円グラフ表示は操作された釦の表示を変えて行われるものであることを特徴とする請求項１ないし４のいずれかに記載の操作表示装置。
【請求項６】
前記データ記憶装置のアクセス時に、その進行状況を表す円グラフを選択する入力があったときには、前記パネル上に新たなウィンドウを開き、作業の現在の状況を表示することを特徴とする請求項１ないし５のいずれかに記載の操作表示装置。
【請求項７】
前記パネルはタッチパネルをなすことを特徴とする請求項１ないし６のいずれかに記載の操作表示装置。
【発明の詳細な説明】
【０００１】
【発明の属する技術分野】
本発明は、産業機械の制御装置における操作表示装置に係り、特に、特定の機器や作業について進行状況を表示する操作表示装置に関する。
【０００２】
【従来の技術】
ダイカスト装置、射出成形機、工作機械等の産業機械に用いられる制御装置は、各種付属装置を操作させるため、あるいは各種作業を指示するための複数の制御釦を有しているのが通常である。
【０００３】
この制御釦はタッチパネルとして形成された制御パネル中に設けられた領域として設けられることがある。
【０００４】
一例としてデータ記憶装置としてのフロッピーディスク装置を取り上げると、一般にフロッピーディスク装置のアクセス時間は長く、オペレータはどのくらい待てば良いのかを知ることは困難であった。
【０００５】
従来、ソフトウェアのインストール作業のような長く時間のかかるものについては横長の棒グラフにより進行状況を表示することが行われている。これを応用して、電子メール処理装置においてダウンロードの進行状況を棒グラフで表し（特開２０００−１７５２５１号公報参照）、あるいは終了を１００％として終了までのパーセント数で表すものも知られている。
【０００６】
また、データ記憶装置へのアクセスする作業としては、書き込み、読み出し、ディレクトリ情報取得などがあるが、従来これらの作業の種類については、作業内容を「データ読み込み中」、「データ保存中」などの文字で表示したり、あらかじめ準備された文字情報を点滅させたりすることが行われていた。これらの作業内容は作業進行状況とともに表示する場合もある。
【０００７】
【特許文献１】
特開２０００−１７５２５１号公報
【０００８】
【発明が解決しようとする課題】
しかしながら、このような表示をするためには、表示ウィンドウの欄外に表示したり、別ウィンドウに表示する必要がある。
【０００９】
これらの場合、欄外に表示する場合には、常にその分のスペースを確保しておく必要があり、画面の使用効率が低くなるという問題がある。又、別ウィンドウで表示する場合には、同時に他の処理を行う場合に複数のウィンドウが重なり合って一つが下に隠れて見えなくなり、これを表面になるようにするにはさらに追加の操作が必要になるという問題がある。
【００１０】
本発明は、このような従来技術の問題点を解決し、進行状況の表示において表示面積が小さく、かつ、効果的な表示を可能とする表示装置を提供することを目的とする。
【００１１】
【課題を解決するための手段】
上記目的を達成するため、本発明によれば、産業機械の制御を行う制御装置における操作表示装置であって、操作される機器あるいは作業に対応した操作釦を複数個配置したタッチパネルをなし、特定の機器に対する前記操作釦については操作開始後の進行状況を前記操作釦の配置領域内で円グラフ表示するようにした操作表示装置が提供される。
【００１２】
特定の機器はデータ記憶装置であると良く、また特定の操作釦は前記タッチパネル中の定位置に設けられることが好ましい。
【００１３】
また、データ記憶装置のアクセス時に読み出し、書き込み、ディレクトリ情報取得時で前記円グラフの色と形状を変化させると良い。
【００１４】
円グラフ表示は操作された釦の表示を変えて行われるものであると良い。
【００１５】
本発明においては進行状況の表示を操作釦を押すことによりその部分を進行状況を表す円グラフとして表示しているので、従来技術を用いる場合と比較して、表示面積が少なく、かつ、効果的に進行状況を表示することが可能となるからである。
【００１６】
また、データ記憶装置のアクセス時に、その進行状況を表す円グラフを選択する入力があったときには、前記パネル上に新たなウィンドウを開き、作業の現在の状況を表示することができ、この場合はより詳細な情報を自然な操作により簡単に得ることが可能となる。
【００１７】
【発明の実施の形態】
以下、図面を参照しながら、本発明の実施の形態を詳細に説明する。
【００１８】
図１は本発明の対象である操作表示装置と制御装置等との関連を示すブロック図である。
【００１９】
同図によれば、制御対象１である産業機械等をプログラム制御するための制御装置２には操作表示装置３およびデータ記憶装置４が接続され、相互に情報が授受される。
【００２０】
ここで、データ記憶装置４は、ハードディスク装置、メモリカードドライブ装置、フロッピーディスクドライブ装置などの磁気ディスクドライブ装置、光ディスクドライブ装置等である。この実施の形態では、データ記憶装置４はメモリカードドライブ装置であり、メモリカード５を装入してその記憶内容を取り出し、あるいはこのメモリカードに必要な情報を記憶することができる。
【００２１】
操作表示装置３は種々の操作を可能とした操作パネルを兼用した表示装置である。この表示画面のレイアウトを図２に示す。
【００２２】
この操作表示装置３の表示画面３０は例えば全体がタッチパネルとなっており、下部には処理を行う対象や種々の処理が１８個のプッシュボタンとして配列されたプッシュボタン領域３１となっている。このプッシュボタンの内容としては例えば次のようである。
１）  金型、鋳造、本体、あるいは自動機などの制御対象を選択するボタン、
２）  生産あるいは保守に関する処理を選択するボタン、
３）  品質管理を対象にする作業あるいは良品のみを対象にする作業を選択するボタン、
４）  画面表示に関する設定あるいは動作に関する設定を選択するボタンなどの機能選択関係のボタン、
５）  画面中の設定数字を増加あるいは減少させるボタン
６）  入力を行うか設定を行うかを選択するボタン
７）  カーソル移動キー
【００２３】
これらのプッシュボタンの左側に２個の予備プッシュボタン配置領域が設けられており、そのうちの下側の１個、すなわち画面の最下端かつ最左端部にステイタス表示領域３１ａが設けられている。
【００２４】
これらのプッシュボタン領域の上に８個のファンクションキーからなるファンクションキー領域３２が設けられており、頻繁に操作されるキーなどが配置されている。この例では、Ｆ１キーは画面設定機能、Ｆ２キーはメモリカード関連作業、Ｆ３キーはパラメータ設定、Ｆ４キーはタッチパネル調整、Ｆ８キーは実行キーとなっている。
【００２５】
このファンクションキー領域３２の上は表示領域３３となっている。図２の例では、ファンクションキー中のメモリカードキーが選択されているため、本体中の内部メモリとメモリカード間のデータ転送に関する各種の操作を選択する画面となっている。
【００２６】
すなわち、メモリカードに関係したジョブがジョブ表示領域３３１に表示され、内部メモリの詳細表示領域３３２、メモリカードの詳細表示領域３３３が表示されている。ここでは内部メモリからメモリカードへのデータ転送を保存、メモリカードから内部メモリへのデータ転送を呼出しと称している。表示領域左側に記載された各種の作業をカーソルキーで選択することにより選択することができる。
【００２７】
例えばメモリカード中の鋳造データを全部読出す場合、最初にディレクトリ情報が取得される。このとき、ステイタス表示領域３１ａには、カードアクセスの状況が表示される。
【００２８】
図３はこのようなカードアクセスのステータス表示の例を示すものであり、前述したプッシュボタン領域の左端の４個分のプッシュボタンが示されている。予備プッシュボタン３１ａがステイタス表示領域となり、カードアクセス中の文字と、円形のマーク３１１が表示されており、この円形のマークは作業の内容と進行状況によりその表示態様が変化する。
【００２９】
図４および図５にこのマークの詳細な表示態様を示す。
【００３０】
まず、ディレクトリ情報を取得しているときは、図４に示すように、白地の円中の黄色の羽根３１１ａが回転するように表示される。一方、ファイル読出し中は、図５に示されるように、円は緑色で表示されるが、この円がファイル読み出しの進行とともに例えば８分の１の扇型部分３１１ｂが増加し、完了時には完全な円になるように表示される。
【００３１】
すなわち、ファイルの読出しは常に一定量のブロック単位、例えば１６ＫＢ単位で行われるので、読出し対象の全ファイル容量をこのブロック単位で除算したデータ量の読み出しが終了する都度、８分の１円の扇形部分の表示を増加させ、図５（ｂ）・・・（ｃ）のように変化していき、ファイルの読み出しが完了した時点で図５（ｄ）のように完全な円が表示されるようにする。
【００３２】
同様に、ファイル書き込みの場合も同様に進行状況を変化する円で表示することができる。なお、書き込みの場合には、読み出しとは異なる色、すなわち、円を赤で表示すると良い。
【００３３】
このような円形の表示はたとえ小さくても作業進行状況が良くわかり、また色によって作業内容も直感的にわかるという利点がある。このような小さな表示であれば、本来の表示領域における作業上必要な表示を妨げることはない。
【００３４】
なお、円形表示は、例えば読み出しあるいは書き込みが開始された時点で最初の扇型を表示し、全体の７／８が終了して最後の１／８のデータ転送が行われている時点で完全な円を表示し、転送完了時点で円形表示を消すようにしても良い。
【００３５】
図６は本発明の第２の実施の形態にかかる画面表示の例を示すものである。
【００３６】
この実施の形態においては、図１における特定のプッシュボタン位置にそのボタンを押したときの処理の進行状況を表示するようにしたものである。すなわち、この実施の形態では、メモリカードを選択するファンクションキーをタッチあるいはマウス等で選択すると、この領域がステイタス表示領域３２ａに変化する。
【００３７】
この実施の形態では、新たな表示エリアを設ける必要が全くないため、画面をコンパクトにすることができる。
【００３８】
また、処理指令を行う部分に表示が出るため、オペレータは画面全体を見て表示を探す必要は全くなく、また、すでに処理を行っているにもかかわらず、そのことを忘れて再度ボタンを押してしまうことを防止できる。
【００３９】
図７は本発明の第２の実施の形態にかかる画面表示の例を示すものである。
【００４０】
この実施の形態においては、図１あるいは図２の円形表示部にタッチあるいはクリックして選択することにより、図７のような表示を別ウィンドウ３４として表示するものである。すなわち、この表示は処理の内容を詳細に表示するものであって、メモリカードのステータス情報、例えば読み込み中か、書き込み中か、ディレクトリ情報表示中かの区別、および進行状況をより詳細に示すグラフ、進行状況を％単位で示す％表示、処理中のファイル名の表示などを含んでいる。
【００４１】
この表示は、この表示画面中に表示された「中断」キーを押すことにより作業を中断でき、「閉じる」キーを押すことによりこのウィンドウを閉じることができる。
【００４２】
したがって、この実施の形態では、より詳細な情報を自然な操作で得ることが可能となる。
【００４３】
以上の実施の形態ではメモリーカードとの間のデータ転送を想定しているが、ハードディスク装置、フロッピーディスクドライブ装置、光ディスクドライブ装置等の各種の記憶装置との間のデータ転送に適用することができ、また、例えばインターネット等のネットワーク回線を介した場合のデータアクセス等にも適用することができる。
【００４４】
【発明の効果】
以上説明したように、本発明の円グラフを用いた進行状況表示装置を用いれば、同時に他の作業を行う場合にも支障を来たさない程度に表示面積を小さく、かつ効果的に進行状況を表示することが可能である。
【図面の簡単な説明】
【図１】本発明の対象である操作表示装置と制御装置等との関連を示すブロック図である。
【図２】本発明にかかる操作表示装置の表示画面のレイアウトを示す図である。
【図３】カードアクセスのステータス表示の例を示す説明図である。
【図４】ステイタス表示の一例を示す説明図である。
【図５】ステイタス表示の他の例を示す説明図である。
【図６】本発明の第２の実施の形態にかかる画面表示の例を示す図である。
【図７】本発明の第３の実施の形態にかかる画面表示の例を示す図である。
【符号の説明】
１  制御対象
２  制御装置
３  操作表示装置
４  メモリカードドライブ装置
５  メモリカード
３１  プッシュボタン領域
３１ａ  ステイタス表示領域
３２  ファンクションキー配置領域
３２ａ  ステイタス表示領域
３３  表示領域
３３１  ジョブ表示領域
３３２  内部メモリの詳細表示領域
３３３  メモリカードの詳細表示領域
３４  別ウィンドウ
【図１】
2004295593.tif 000003
【図２】
2004295593.tif 000004
【図３】
2004295593.tif 000005
【図４】
2004295593.tif 000006
【図５】
2004295593.tif 000007
【図６】
2004295593.tif 000008
【図７】
2004295593.tif 000009